(57)【要約】【課題】製造時の廃棄物の量が少なく、より低コストで、より簡単に制御することができる蒸気タービンダイアフラム及びその製造方法を提供する。【解決手段】高圧又は中圧軸流タービンダイアフラム２０であって、半径方向内側リング及び半径方向外側リング２２，２４を備え、少なくとも１つのこのようなリングは、中空であり、かつプレート材料から成る軸方向で向き合った壁部２２１，２２２及び／又は２４１，２４２を有する。【選択図】図２
2013194742.tif 000002
【特許請求の範囲】
【請求項１】
高圧又は中圧の、軸流の、タービンダイアフラム（２０）であって、半径方向内側のリング及び半径方向外側のリング（２２，２４）を備え、少なくとも１つのこのようなリングは、中空であり、かつプレート材料から成る軸方向で向き合った壁部（２２１，２２２及び／又は２４１，２４２）を有することを特徴とする、タービンダイアフラム。
【請求項２】
（ａ）静止ブレードユニット（２６）の環であって、それぞれのこのようなブレードユニットは、翼部分（２６３）と、半径方向内側のプラットフォーム部分（２６１）と、半径方向外側のプラットフォーム部分（２６２）とを有する、静止ブレードユニット（２６）の環と、
（ｂ）半径方向内側の中空のダイアフラムリング（２２）及び／又は半径方向外側の中空のダイアフラムリング（２４）であって、それぞれのこのような中空のリングは箱形構造を有し、該箱形構造は、該箱形構造の一部としてのブレードユニット（２６）を有する、半径方向内側の中空のダイアフラムリング（２２）及び／又は半径方向外側の中空ダイアフラムリング（２４）と、を備える、請求項１記載のタービンダイアフラム。
【請求項３】
内側の中空のダイアフラムリング（２２）の前記箱形構造は、
（ａ）軸方向で向き合った一対の側壁（２２１，２２２）と、
（ｂ）半径方向内側の周方向に延びた壁部（２２３）と、
（ｃ）前記静止ブレードユニット（２６）の前記半径方向内側のプラットフォーム部分（２６１）によって形成された、半径方向外側の周方向に延びた壁部と、を有する、請求項２記載のタービンダイアフラム。
【請求項４】
外側の中空のダイアフラムリング（２４）の前記箱形構造は、
（ａ）軸方向で向き合った一対の側壁（２４１，２４２）と、
（ｂ）半径方向外側の周方向に延びた壁部（２４３）と、
（ｃ）前記静止ブレードユニット（２６）の前記半径方向外側のプラットフォーム部分（２６２）によって形成された、半径方向内側の周方向に延びた壁部と、を有する、請求項２又は３記載のタービンダイアフラム。
【請求項５】
前記静止ブレードユニットの半径方向内側及び外側のプラットフォーム部分（２６１，２６２）のうちの一方又は両方は、前記翼部分（２６３）と一体に形成されている、請求項２から４までのいずれか１項記載のタービンダイアフラム。
【請求項６】
それぞれの中空のダイアフラムリング（２２，２４）の前記箱形構造は、該箱形構造に複数の補強リブ（２８，３０）を組み込むことによって強化されており、リブは、半径方向及び軸方向に整合させられておりかつ周方向で互いから間隔を置かれている、請求項２から５までのいずれか１項記載のタービンダイアフラム。
【請求項７】
外側のダイアフラムリング（２４）の半径方向外側の壁部（２４３）は、前記補強リブ（３０）のうちの少なくとも１つによって、周方向に延びた別個の構成部分に分割されている、請求項４を引用する請求項６記載のタービンダイアフラム。
【請求項８】
半径方向内側のリング（２２）の半径方向内側の壁部（２２３）の半径方向内側は、ダイアフラム（２０）の比較的高圧の側と低圧の側との間の漏れに対するシールを保持するように構成された、周方向に延びた凹所（２２８）を含む、請求項３記載のタービンダイアフラム。
【請求項９】
タービン内へのダイアフラム（２０）の組付けを可能にするために、該ダイアフラムは、組付け時に直径に沿った接合線（Ｊ）において互いに接合される２つの半分として製造されている、請求項１から８までのいずれか１項記載のタービンダイアフラム。
【請求項１０】
外側のダイアフラムリングの前記直径に沿った接合線（Ｊ）の各端部にボルト継手が設けられている、請求項９記載のタービンダイアフラム。
【請求項１１】
前記ダイアフラムの上側及び下側の半分の、直径に沿って互いに反対側の端部は、包囲するタービンケーシング内に前記上側及び下側の半分を支持する位置決め手段によって、互いに位置合わせされながら保持される、請求項９記載のタービンダイアフラム。
【請求項１２】
内側及び外側のダイアフラムリングのうちの一方のみが中空構造であり、他方のリングは中実である、請求項１から１１までのいずれか１項記載のタービンダイアフラム。
【請求項１３】
請求項３を引用する請求項６記載のタービンダイアフラムを製造する方法であって、前記内側の中空のダイアフラムリング（２２）は、
（ａ）側壁（２２１，２２２）を補強リブ（２８）に取り付けるステップと、
（ｂ）ブレードユニット（２６）の内側プラットフォーム（２６１）を内側リング（２２）の側壁（２２１，２２２）に取り付けるステップと、
（ｃ）内側の周方向に延びた壁部（２２３）を前記内側リング（２２）の側壁に取り付けるステップと、によって製造されることを特徴とする、請求項３を引用する請求項６記載のタービンダイアフラムを製造する方法。
【請求項１４】
請求項４を引用する請求項６記載のタービンダイアフラムを製造する方法であって、前記外側の中空のダイアフラムリング（２４）は、
（ａ）側壁（２４１，２４２）を補強リブ（３０）に取り付けるステップと、
（ｂ）ブレードユニット（２６）の外側プラットフォーム（２６２）を外側リング（２４）の側壁（２４１，２４２）に取り付けるステップと、
（ｃ）外側の周方向に延びた壁部（２４３）を前記外側リング（２４）の側壁に取り付けるステップと、によって製造されることを特徴とする、請求項４を引用する請求項６記載のタービンダイアフラムを製造する方法。
【請求項１５】
請求項３及び４を引用する請求項６記載のタービンダイアフラムを製造する方法であって、
（ａ）側壁（２２１，２２２）及び（２４１，２４２）を補強リブ（２８）及び（３０）に取り付けるステップと、
（ｂ）ブレードユニット（２６）の内側プラットフォーム（２６１）を内側リング（２２）の側壁（２２１，２２２）に取り付けるステップと、
（ｃ）外側リング（２４）の側壁（２４１，２４２）をブレードユニット（２６）の外側プラットフォーム（２６２）に取り付けるステップと、
（ｄ）内側の周方向に延びた壁部（２２３）を前記内側リング（２２）の側壁に取り付けかつ外側の周方向に延びた壁部（２４３）を前記外側リング（２４）の側壁に取り付けるステップと、を含むことを特徴とする、請求項３及び４を引用する請求項６記載のタービンダイアフラムを製造する方法。
【請求項１６】
前記ブレードユニット（２６）の前記内側プラットフォーム（２６１）が前記内側リング（２４）に取り付けられる前に、半径方向内側の壁部（２２３）が前記内側リング（２２）に取り付けられる、請求項１３又は１５記載の方法のバリエーション。
【請求項１７】
前記外側リング（２４）の前記側壁（２４１，２４２）が前記ブレードユニット（２６）の前記外側プラットフォーム（２６２）に取り付けられる前に、半径方向外側の壁部（２４３）が前記外側リング（２４）に取り付けられる、請求項１４又は１５記載の方法のバリエーション。
【発明の詳細な説明】
【技術分野】
【０００１】
本発明は、タービン用ダイアフラムの構成、特に、軸流蒸気タービン発電所の高圧（ＨＰ）段又は中圧（ＩＰ）段におけるダイアフラムのための新規の構造及び製造方法に関する。
【背景技術】
【０００２】
タービンダイアフラムを構成する公知の方法は、内側リングと外側リングとの間に静止案内ブレードユニットの環を取り付けることである。このようなブレードユニットはそれぞれ、内側プラットフォームと外側プラットフォームとの間に延びた翼部分を有し、ブレードユニットは、通常、１つの一体の構成部材として製造されている。これは、"プラットフォーム"型の構成として知られる。各プラットフォームは、円筒のセグメントの形態であり、これにより、ブレードユニットの環が組み付けられると、内側プラットフォームは、組み合わさって内側円筒体を形成し、外側プラットフォームは、組み合わさって外側円筒体を形成する。内側プラットフォームは、内側リングに溶接され、この内側リングは、ブレードユニットを保持し、内側リングとタービンのロータシャフトとの間に作用するラビリンスシールのようなシーリング配列のための取付部を提供する。外側プラットフォームは、外側リングに溶接され、この外側リングは、ダイアフラムに対して支持及び剛性を提供する。内側リング及び外側リングのそれぞれは、ダイアフラムの主軸線を含みかつブレードユニットの間を通過する平面に沿って接合される２つの半円形の半分を有し、これにより、ダイアフラム全体を、ターボ機械のロータの周囲への組付けのために２つの部材に分離することができる。
【０００３】
大型のＨＰ又はＩＰ蒸気タービンダイアフラムのための既存のプラットフォーム構成は、概して、厚い金属板から切断されるか、鍛造されるか、又は棒材から形成された中実の内側及び外側のリングを有する。このようなリングは、タービンの軸線方向でのかなりの寸法、例えば１００ｍｍ〜２００ｍｍを有するので、このようなリングのコストは、大型蒸気タービンの工場渡し価格における大きな要因である。リングが厚い板から切断される場合、高い割合の廃棄物（例えば、内側リングの中央の切り抜かれた部分）が生じ、これに対し、鍛造又はその他の成形加工は、より出費を増加させ、より大きな厚さ及び重さの材料を操作しなければならないので制御するのがより困難になる。
【発明の概要】
【発明が解決しようとする課題】
【０００４】
したがって、本発明の課題は、製造時の廃棄物の量が少なく、より低コストで、より簡単に制御することができる蒸気タービンダイアフラム及びその製造方法を提供することである。
【課題を解決するための手段】
【０００５】
最も広い態様において、本開示は、半径方向内側リング及び半径方向外側リングを有する高圧又は中圧の軸流タービンダイアフラムを提供し、少なくとも１つのこのようなリングは中空であり、かつ板材料から成る軸方向で向き合った壁部を有する。
【０００６】
好適には、タービンダイアフラムは、
静止ブレードユニットの環であって、このような各ブレードユニットは、翼部分と、半径方向内側プラットフォーム部分と、半径方向外側プラットフォーム部分とを有する、静止ブレードユニットの環と、
箱形構造を有し、該箱形構造は、該箱形構造の一部としてのブレードユニットを有する、半径方向内側の中空のダイアフラムリング及び／又は半径方向外側の中空のダイアフラムリングと、を備える。
【０００７】
上記のように、内側及び外側のリングの両方が中空の構造を有することが常に必要であるわけではない。つまり、リングのうちの一方が中空であることが可能であるが、他方のリングは、公知の形式の中実の構造であることができる。
【０００８】
１つの実施の形態において、内側中空ダイアフラムリングの箱形構造は、
一対の軸方向で向き合った側壁と、
半径方向内側の周方向に延びた壁部と、
静止ブレードユニットの半径方向内側プラットフォーム部分によって形成された半径方向外側の周方向に延びた壁部と、を有する。
【０００９】
同様に、外側中空ダイアフラムリングの箱形構造は、
一対の軸方向で向き合った側壁と、
半径方向外側の周方向に延びた壁部と、
静止ブレードユニットの半径方向外側プラットフォーム部分によって形成された半径方向内側の周方向に延びた壁部と、を有してよい。
【００１０】
静止ブレードユニットの半径方向内側及び外側のプラットフォーム部分の少なくとも一方、好適には両方は、例えば一片の材料から機械加工することによって、翼部分と一体に形成されることが好ましい。しかしながら、プラットフォーム部分のうちの一方又は両方を翼部分に取り付けることによって静止ブレードユニットを製造することも可能である。
【００１１】
内側及び外側の中空のダイアフラムリングの箱形構造に良好な剛性を提供するために、内部において複数の強化リブを組み込むことによって箱形構造を強化することを提案し、リブは、半径方向及び軸方向で位置合わせさせられており、かつ周方向で互いに間隔を置かれている。つまり、リブは、箱形構造を横切って、軸方向で向き合った側壁と、半径方向内側及び外側の周方向に延びた壁部との間に延びている。この説明及び添付の請求の範囲を通じて「リブ」という用語が使用される場合、この用語は、ストラット及び同様のもののような、構造的に同等の強化特徴部を含むことが理解されるべきである。
【００１２】
選択的に、外側ダイアフラムリングの半径方向外側の壁部は、強化リブのうちの少なくとも１つの半径方向外方への突出部によって、複数の別個の周方向に延びた構成部分に分割されていてよい。このような配列は、外側リングの上側及び下側の半分への荷重持上げ特徴部の取付け、及び／又はダイアフラムを包囲するタービンケーシングにおける対応する位置決め特徴部との外側リングの係合、を容易にすることができる。このような位置決め特徴部との外側リングの係合は、タービンケーシング内におけるダイアフラムのクロスキー位置決めを可能にすることができる及び／又は蒸気タービンの運転中に静止ブレードが蒸気を逸らせる際のケーシング内でのダイアフラムの回転を防止することができる。
【００１３】
半径方向内側リングの半径方向内側壁部の半径方向内側は、ダイアフラムの比較的高圧の側と低圧の側との間の漏れに対するシールを保持するように構成された、周方向に延びた凹所を有してよい。
【００１４】
タービン内でのダイアフラムの組立てを可能にするために、ダイアフラムは、２つの半分として製造されており、これらの半分は、組立て時に直径に沿った接合線において互いに接合される。接合部は、外側ダイアフラムリングの直径に沿った接合線の各端部において提供されるボルト継手を含んでよい。これに代えて、ダイアフラムの上側及び下側の半分の、直径に沿って互いに反対側の端部は、包囲するタービンケーシング内に外側ダイアフラムリングを支持する位置決め手段によって互いに位置合わせされながら保持されてよい。
【００１５】
幾つかの実施の形態において、内側及び外側のダイアフラムリングのうちの１つのみが、中空の構造であり、他方のリングは中実であることが考えられる。
【００１６】
本開示発明は、ここに説明されかつ添付の請求の範囲に請求されているように、中空のダイアフラムリング及びダイアフラムの製造方法も提供する。
【００１７】
ここに開示された概念の実施の形態は、ここで、添付の図面を参照しながら説明される。
【図面の簡単な説明】
【００１８】
【図１】公知の形式のＨＰ軸流蒸気タービンダイアフラムの上側半分の概略的な半径方向断面図である。
【図２】本明細書に開示された概念にしたがって構成されたＨＰ又はＩＰ蒸気タービンダイアフラムの上側半分の半径方向断面の概略的な図である。
【図３】ＨＰ又はＩＰ蒸気タービンダイアフラムの上側半分の、部分的に分解された実施の形態の三次元斜視図である。
【図４】図３と同様の、ただしダイアフラムの下側半分の図である。
【図５】静止ブレードユニットのセットが取り付けられた内側リングの三次元斜視図である。
【図６】不完全な外側リングが静止ブレードユニットのセットに取り付けられた、図５と同様の図である。
【発明を実施するための形態】
【００１９】
図面は、実寸ではない。
【００２０】
図１は、大型の、ヘビーデューティの、軸流の、蒸気タービンダイアフラム１用の構成の公知の"プラットフォーム"形式を例示しており、製造中のダイアフラムの上側半分の半径方向断面図を示しており、ダイアフラム１の中心線は一点鎖線Ｃで示されている。図面は静止ブレードユニット２を含む。静止ブレードユニット２は、半径方向内側及び外側のプラットフォーム３，４と、翼部分５とを有する。翼部分５の半径方向内側及び外側の端部は翼及びプラットフォームと一体である。ブレードユニット２全体は中実体から機械加工されている。組立てが完了すると、内側及び外側のプラットフォーム３，４は、ダイアフラムを通る蒸気の流れのための、内側及び外側のポート壁部（port walls）を形成する。完成したダイアフラム１は、ブレードユニット２を順次に内側及び外側のダイアフラムリング６，７の間に環状の配列で組み付け、プラットフォーム３，４を深溶け込み溶接８〜１１によってダイアフラムリング６，７に取り付けることによって形成される。内側及び外側のダイアフラムリング６，７と、プラットフォーム３，４とは、さらに、タービンシーリング部を提供しかつ隣接するタービン部に適合するように適切に機械加工される。例えば、シーリング部は、内側リング６の内周面に機械加工されている。シーリング部は、内向きのフック部１３を備えたチャネル１２を含む。これは、内側のリング６と、点線によって示されているタービンシャフト１４との間をシールするためのラビリンスシール又は同様のもの（図示せず）を保持するために設けられている。
【００２１】
内側のダイアフラムリング６にブレードユニット２を組み付け、次いで、ブレードユニット２に対して外側のダイアフラムリング７を焼き嵌めすることが、プラットフォーム構成を採用するＨＰ蒸気タービンにおける公知の製造方法である。内側及び外側のダイアフラムリング６，７は、ブレードユニットを支持し、タービンの組立て及び運転中にダイアフラムをゆがめようとする力に対するダイアフラム剛性を提供し、かつ外側のダイアフラムリングに対して、ダイアフラムを、完成したタービン構成においてダイアフラムを包囲するタービンケーシング（図示せず）内に確実に配置することが要求される。
【００２２】
図２は、本明細書に開示された概念にしたがって構成されたＨＰ又はＩＰ蒸気ダイアフラム２０の上側半分の半径方向断面図であり、この場合、半径方向内側及び外側のダイアフラムリング２２，２４は、中空であり、プレート材料から箱形構造として製造されている。つまり、内側の中空のダイアフラムリング２２の箱形構造は、軸方向で向き合った一対の側壁２２１，２２２と、半径方向内側の周方向に延びた壁部２２３と、静止ブレードユニット２６の半径方向内側のプラットフォーム部分によって形成された、半径方向外側の周方向に延びた壁部２６１とを有する。同様に、外側の中空のダイアフラムリング２４の箱形構造は、軸方向で向き合った一対の側壁２４１，２４２と、静止ブレードユニット２６の半径方向外側のプラットフォーム部分によって形成された、半径方向内側の周方向に延びた壁部２６２と、半径方向外側の周方向に延びた壁部２４３とを有する。
【００２３】
例として、各側壁２２１，２２２，２４１，２４２及び外側の壁部２４３のプレート材料厚さは、それが一部を成すリングの軸方向厚さの３５％未満（例えば２０％〜３０％）であることができる。しかしながら、最も半径方向内側の壁部２２３は、他の壁部よりも大きな厚さを有するように示されている。なぜならば、後述するように、この壁部２２３には凹所２２８が機械加工されるからである。中空のダイアフラムリングの製造のための適切なプレート材料の一例は、ＡＳＴＭ  Ａ  ３８７  Ｇｒ．２２  Ｃ１２規格のような、クロムモリブデン鋼プレートである。このような鋼は、圧力容器を製造するために一般的に使用されており、世界中にクロムモリブデン鋼プレートの多くの供給業者が存在する。その他の高合金綱も適切であろう。
【００２４】
この実施の形態において、静止ブレードユニット２６の、半径方向内側及び外側のプラットフォーム部分２６１，２６２はそれぞれ、翼部分２６３と一体に形成されている。これに代えて、プラットフォーム部分を内側及び外側のリングに組み込む前に、プラットフォーム部分２６１，２６２のうちの一方又は両方を翼部分２６３に接合することによって静止ブレードユニット２６を製造することも可能である。いずれの場合にも、ブレードユニットは、例えば、公知の容易に入手可能な１２Ｃｒ合金鋼から成ってよいが、ニッケルベースのスーパーアロイのようなその他の材料を使用することもできる。
【００２５】
内側及び外側の中空のダイアフラムリング２２，２４の箱形構造に高い剛性を提供するために、われわれは、それらの内部に複数の補強リブ２８，３０をそれぞれ組み込むことによって箱形構造を強化することを提案する。リブ２８，３０は、半径方向及び軸方向に整合させられており、かつ周方向で互いから間隔を置かれている。つまり、軸方向では、リブ２８，３０は、箱形構造を横切って、内側及び外側のリング２２，２４の軸方向で向き合った側壁２２１，２２２及び２４１，２４２の間に延びており、半径方向では、リブ２８，３０は、箱形構造を横切って、リングの半径方向内側及び外側の、周方向に延びた壁部２２３，２６１及び２６２，２４３の間に延びている。
【００２６】
本発明の概念から最大のコスト利益を得るために、上記では内側及び外側のダイアフラムリングの両方が中空の箱形構造を有することを前提としているが、それにもかかわらず、リングのうちの一方のみが中空であり、他方のリングが中実の構成であることが可能である。
【００２７】
以下でより詳細に説明するように、箱形構造は、補強リブ２８，３０に側壁２２１，２２２及び２４１，２４２を取り付け、次いで、内側リング２２の側壁２２１，２２２にブレードユニット２６の内側プラットフォーム２６１を取り付けることによって製造されてよい。この後、外側リング２４の側壁２４１，２４２は、ブレードユニット２６の外側プラットフォーム２６２に取り付けられてよい。内側及び外側リングの箱形構造は、内側リング２２の側壁に、内側の周方向に延びた壁部２２３を取り付け、外側リング２４の側壁に、外側の周方向に延びた壁部２４３を取り付けることによって完成されてよい。前記の取付けは、構成部材を互いに仮付け溶接することによって形成されてよいが、図２に示したようにダイアフラムを完成させるために永久溶接が行われる。図２には、周方向に延びた溶接線２２４〜２２７及び２４４〜２４７が示されている。つまり、内側リング２２の場合、溶接２２６及び２２７は側壁２２１，２２２をプラットフォーム部分２６１に取り付け、かつ溶接２２４及び２２５は側壁２２１，２２２を半径方向内側の壁部２２３に取り付けるのに対し、外側リング２４の場合、溶接２４４及び２４５は側壁２４１，２４２をプラットフォーム部分２６２に取り付け、溶接２４６及び２４７は側壁２４１，２４２を半径方向外側の壁部２４３に取り付ける。
【００２８】
図２にも示したように、半径方向内側リング２２の半径方向内側の壁部２２３の半径方向内側は、ダイアフラムの比較的高圧の側と低圧の側との間の漏れを最小限に減じるためにシャフト１４とシール係合するラビリンスシール又はブラシシール（図示せず）のようなシャフトシールを保持及び把持するように構成された凹所若しくはフック配列２２８を有してよい。
【００２９】
タービンへのこのようなダイアフラムの組立てを可能にするために、ダイアフラムは２つの半分、つまり上側半分及び下側半分として製造されており、これらの半分は、水平方向の、直径に沿った接合線Ｊにおいて互いに接合される。例えば、接合線Ｊの各端部にボルト継手を設けることができる。これに代えて、ダイアフラムの上側及び下側の半分を、それぞれ、産業上知られているように、クロスキー位置決め手段によって、独立して支持することができる。
【００３０】
ダイアフラムの製造をこの概念にしたがってより詳細に説明するために、図３及び図４を参照する。図３は、ＨＰ又はＩＰ蒸気タービンダイアフラムの上側半分の部分的に分解された実施の形態の三次元の図であるのに対し、図４は、ダイアフラムの下側半分の同様の図である。両図において、１つの静止ブレードユニット２６のみが、上側及び下側の、内側及び外側の半リング２２Ｕ，２４Ｕ及び２２Ｌ，２４Ｌの間の所定の位置に示されており、他のブレードユニットは半リングの箱形構造をより明確に示すために省略されている。可能な限り、図３及び図４は、図２と同じ符号を使用している。
【００３１】
１つの可能な製造手順は、上側の半リング２２Ｕ，２４Ｕ及び下側の半リング２２Ｌ，２４Ｌ用の側壁と、補強リブ２８，３０とが、プレート材料から、ダイアフラムが取り付けられる特定のタービンのために要求される寸法に切断されることによって開始する。さらに加えて、前記ボルト継手用の継手ブロック３２Ｕ，３４Ｕ及び３２Ｌ，３４Ｌ（箱形構造を強化するためにも作用する）は、上側及び下側の外側の半リング２４Ｕ，２４Ｌに組み込むために、より厚いプレートから製造される。
【００３２】
次いで、補強リブ２８は、それぞれの内側の半リング２２Ｕ，２２Ｌの側壁のうちの１つに取り付けられ、補強リブ３０は、継手ブロック３２Ｕ，３４Ｕと一緒に、外側の半リング２４Ｕの側壁のうちの一方に取り付けられ、継手ブロック３２Ｕ，３４Ｕは、外側の半リング２４Ｕの、直径に沿って互いに反対側の端部に位置決めされる。同様に、補強リブ３０は、継手ブロック３２Ｌ，３４Ｌと一緒に、外側の半リング２４Ｌの側壁のうちの１つに取り付けられる。この後、内側及び外側の半リングの他方の側壁は、リブ２８及び３０に、外側半リングの場合には、継手ブロックに、取り付けられる。この段階において（又はこれに代えて、箱形構造への継手ブロックの組込みの前に）、それぞれの継手ブロックに、ねじ山付ボルト穴３６Ｕ，３６Ｌを機械加工することができる。
【００３３】
上の手順は、まだ完成していない内側及び外側の半リングを生ぜしめる。なぜならば、上側及び下側の内側の半リング２２Ｕ，２２Ｌは、側壁及び補強リブのみを有し、上側及び下側の外側の半リング２４Ｕ，２４Ｌは、側壁、補強リブ及び継手ブロックのみを有するからである。
【００３４】
ここで、内側リングを製造するために、ダイアフラムの上側及び下側の半分のための内側の半リングを、一緒にジグに配置することができる。同様に、外側リングを製造するために、ダイアフラムの下側及び上側の半分のための外側の半リングを、接合することができる。内側の半リングは、ジグにおいて一時的な仮付け溶接によって接合されるのに対し、外側の半リングは、上側及び下側の外側の半リングの、直径に沿って互いに反対側の端部に設けられた継手ブロックを貫通する一時的なボルトによって接合されてよい。
【００３５】
２つの内側の半リング２２Ｕ，２２Ｌを接合すると、図５に示されたアセンブリを製造するために、静止ブレードユニット２６の内側プラットフォーム２６１を、内側リングの側壁２２１，２２２に仮付け溶接することができる。まだジグにある間に、静止ブレードユニット２６の外側プラットフォーム２６２に均一な円形の外面を形成するために、機械加工が行われる。この後、外側リングは加熱され、次いで、側壁２４１，２４２を外側プラットフォーム２６２と係合させるようにブレードユニット２６に対して焼き嵌めされ、これにより、図６に示されたアセンブリを製造する。
【００３６】
ダイアフラムの製造のこの段階において、図２に関して述べられた周方向溶接２２６，２２７及び２４４，２４５が図６のアセンブリにおいて行われ、内側及び外側のリング２２，２４を静止ブレードユニット２６に確実に結合する。周方向溶接は、ダイアフラムの上側半分と下側半分との間の接合線Ｊにおいて中断することができる。これに代えて、周方向溶接は、接合線をまたいで連続的であることができ、溶接ビードが、その後、ダイアフラムの上側及び下側半分の互いからの分離を可能にするために、接合線において機械加工により除去される。
【００３７】
上記の周方向溶接作業の後、図３及び図４に戻って参照すると、ダイアフラム製造プロセスの最終ステップは、図２に示したように、周方向溶接２２４，２２５及び２４６，２４７を使用して、外側リング２４の半径方向外側の壁部２４３を側壁２４１，２４２に取り付け、かつ内側リング２２の半径方向内側の壁部２２３を側壁２２１，２２２に取り付けることである。以下で説明する理由から、上側の半リングと下側の半リングとの間の接合部、及びリブ３０によって互いから分割された外壁２４３のあらゆる構成部分を考慮するために、これらの溶接は必要であれば中断されてよいことが明らかである。
【００３８】
前記製造プロセスの変化形において、ブレードユニット２６の内側プラットフォーム２６１が内側リングの側壁２２１，２２２に取り付けられる前に半径方向内側の壁部２２３が中空内側リング２２に取り付けられてよい。さらに、外側リング２４の側壁２４１，２４２がブレードユニット２６の外側プラットフォーム２６２に取り付けられる前又は後に半径方向外側の壁部２４３が中空外側リング２４に取り付けられてよい。
【００３９】
内側リングの半径方向内側の壁部２２３は上側及び下側の半リング２２Ｕ，２２Ｌのそれぞれの全周方向範囲に亘って連続しているのに対し、半径方向外側の壁部２４３は不連続であり、補強リブ３０の半径方向外方への突出部によって、周方向に延びた複数の別個の構成部分に分割されていることが、図３及び図４から見られる。リブ３０は側壁２４１，２４２の半径方向範囲を半径方向に超えて突出しているが、リブは、半径方向外側の壁部２４３の構成部分の半径方向厚さを完全には貫通しておらず、これにより、半径方向外側壁部２４３において矩形の凹所を形成している。これらの凹所は、組み立てられたダイアフラムの取扱いを容易にするための特徴の付加を補助してよい。なぜならば、クレーンの持上げ用アイを提供するために、ねじ山付穴（図示せず）が、リブ３０の露出した端部に穿孔されてよいからである。これに代えて、又はこれに加えて、凹所は、完全に組み立てられたタービンにおいて外側リング２４を包囲するタービンケーシング（図示せず）における、対応して突出した回転防止キー及び／又はクロスキー位置決め手段との外側リング２４の係合を可能にするために使用されてよい。
【００４０】
外側壁部２４３の外面が半径方向内方へ凹まされる代わりに、リブ３０は、外側壁部２４３の外面を超えて半径方向に突出することが可能であることにも注意されたい。この配列は、包囲するタービンケーシングに関連した回転防止キー及びクロスキー位置決め手段を提供するために使用することもできる。
【００４１】
外側壁部２４３が複数のリブ３０によって分割されてよいことが上記で提案されているが、側壁２４１，２４２の半径方向範囲を超えて突出するように選択されるリブ３０の数は設計者の任意であることが理解されるべきである。例えば、ダイアフラムのための回転防止手段を形成するために、タービンケーシングにおける相補的な手段に関連して、頂点において突出した１つのリブで十分である。
【００４２】
ある目的には便利であるかもしれないが、位置決め又は持上げ手段の形成を容易にするために補強リブが側壁２４１，２４２を半径方向に超えて延びることは必要でないことに注意すべきである。例えば、図６においては、リブ３０１が、側壁の半径方向外側エッジ面と同一平面である半径方向外側エッジ面を有することが示されており、これにより、外側壁部２４３の中断のない構成部分を、リブ３０１上の所定の位置に溶接することができる（図３参照）。実際には、外側リング２４における全てのリブ３０は同じリブ３０１であることができ、これにより、継手ブロック３２Ｌ，３４Ｌ及び３２Ｕ，３４Ｕによるものを除いて、半径方向外側壁部２４３は複数の構成部分に分割されない。次いで、あらゆる所要の持上げ又は位置決め手段を、外側壁部２４３に機械加工するか又は溶接することができる。
【００４３】
完成したダイアフラムの上側半分と下側半分とを一緒に保持するボルト（図示せず）へのアクセスを許容するために、継手ブロック３２Ｕ，３４Ｕに最も近い半径方向外側壁部２４３の構成部分の端部が、上側半リング２４Ｕの側壁２４１，２４２に対して、内方へ傾斜させられていることが図３から分かる。
【００４４】
前述のように、リングのうちの一方のみが中空箱形構造であり、他方のリングが中実構成であるようなダイアフラムを構成することが可能である。内側ダイアフラムリングのみが中空箱形構造である場合、内側ダイアフラムは、上述のようにジグにおいて製造及び組立てすることができ、静止ブレードユニットによって完成され、中実の外側リングの２つの半分を互いに接合し、ブレードユニットの外側プラットフォームに焼き嵌めすることができ、その後、適切に溶接する。外側ダイアフラムリングのみが中空である場合、中実の内側ダイアフラムリングの２つの半分をジグに組み付けることができ、ブレードユニットの内側プラットフォームを、内側中実リングに仮付け溶接することができる。外側リングを、前述のように製造することができ、次いで、ブレードユニットの外側プラットフォームへ焼き嵌めし、適切に溶接することができる。
【００４５】
上述のようなダイアフラムの製造の後、ダイアフラムに、応力緩和熱処理及び最終機械加工手順、例えば内側リング２２の内壁２２３における凹所２２８（図２参照）の機械加工を行う必要がある。次いで、ダイアフラムを、上側及び下側の半分に分割することができ、タービンへの組付けのための準備が整う。
【００４６】
上記説明は、大型のヘビーデューティ蒸気タービンに関連した本発明の概念に言及したが、本発明の概念は、船舶において又は工業用プラントにおける補助タービンとして使用されるもののような、軽量タービンにも適用可能であることもできる。前記概念がガスタービンダイアフラムに適用可能であることも、無視されるべきではない。
【００４７】
ここに提案された概念の採用は多数の利点を提供する。
【００４８】
第１に、強度の比例的な減少なしに、ダイアフラムの製造において使用される材料の量が減じられる。これは、ダイアフラムリングに加えられる荷重が主に曲げ荷重であり、ダイアフラムリングの中立軸線に近い材料が、曲げ強さへの比較的小さな寄与を形成するからである。
【００４９】
第２に、静止ブレードユニットプラットフォームは、内側及び外側リングの一体の部分として利用され、これにより、材料使用を最適化する。
【００５０】
第３に、ダイアフラムの上側及び下側の半分の間のボルト継手の製造が、中実外側リングのために使用される手順に関して単純化される。これは、本概念によるリングの中空箱形構造が、リングの側壁の間への予め構成されたボルト収容ブロックの挿入を許容するからである。
【００５１】
第４に、上記から続いて、内側及び外側リングにおいて使用される高価な高級材料の量の減少、構成部材の機械加工中に発生される廃棄材料の量の減少、及びボルト継手の製造に関する機械加工プロセスの複雑さの減少は、完成したダイアフラムのコストの著しい減少、例えばわれわれの初期的な研究によれば４０％に達する減少につながる。
【００５２】
第５に、補強リブは、ダイアフラムとタービンケーシングとの間において作用する回転防止キー及び位置決めキーの提供を単純化するために使用することができる。
【００５３】
上記実施の形態は、純粋に例として上に説明されており、添付された請求項の範囲において変更をなすことができる。つまり、請求項の広さ及び範囲は、上述の典型的な実施の形態に限定されるべきではない。請求の範囲及び図面を含む明細書に開示されたそれぞれの特徴は、そうでないことが明らかに述べられない限り、同じ、均等又は類似の目的を果たす択一的な手段に置き換えられてよい。
【００５４】
文脈がそうでないことを明らかに要求しない限り、説明及び請求の範囲を通じて、用語"含む"、"含んでいる"及び同様のものは、排他的又は網羅的な意味とは反対に包括的な意味で、すなわち"含んでいるが、限定されない"という意味で解釈すべきである。
【符号の説明】
【００５５】
１  ダイアフラム、  ２  静止ブレードユニット、  ３，４  プラットフォーム、  ５  翼部分、  ６，７  ダイアフラムリング、  ８，９，１０，１１  深溶け込み溶接、  １２  チャネル、  １３  フック部、  １４  タービンシャフト、  ２０  、  ２２  ダイアフラムリング、  ２２１，２２２，２４１，２４２  側壁、  ２２３，２６１，２６２，２４３  壁部、  ２２８  凹所、  ２６  ブレードユニット、  ２８  リブ、  ３０  リブ、  Ｃ  中心線
【図１】
2013194742.tif 000003
【図２】
2013194742.tif 000004
【図３】
2013194742.tif 000005
【図４】
2013194742.tif 000006
【図５】
2013194742.tif 000007
【図６】
2013194742.tif 000008
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
高圧又は中圧の、軸流の、タービンダイアフラム（２０）であって、半径方向内側のダイアフラムリング及び半径方向外側のダイアフラムリング（２２，２４）を備え、前記ダイアフラムリングのうちの少なくとも一方は、中空であり、かつプレート材料から成る軸方向で向き合った壁部（２２１，２２２及び／又は２４１，２４２）を有することを特徴とする、タービンダイアフラム。
【請求項２】
（ａ）静止ブレードユニット（２６）の環であって、それぞれのこのようなブレードユニットは、翼部分（２６３）と、半径方向内側のプラットフォーム部分（２６１）と、半径方向外側のプラットフォーム部分（２６２）とを有する、静止ブレードユニット（２６）の環と、
（ｂ）半径方向内側の中空のダイアフラムリング（２２）及び／又は半径方向外側の中空のダイアフラムリング（２４）であって、それぞれのこのような中空のダイアフラムリングは箱形構造を有し、該箱形構造は、該箱形構造の一部としてのブレードユニット（２６）を有する、半径方向内側の中空のダイアフラムリング（２２）及び／又は半径方向外側の中空ダイアフラムリング（２４）と、を備える、請求項１記載のタービンダイアフラム。
【請求項３】
内側の中空のダイアフラムリング（２２）の前記箱形構造は、
（ａ）軸方向で向き合った一対の側壁（２２１，２２２）と、
（ｂ）半径方向内側の周方向に延びた壁部（２２３）と、
（ｃ）前記静止ブレードユニット（２６）の前記半径方向内側のプラットフォーム部分（２６１）によって形成された、半径方向外側の周方向に延びた壁部と、を有する、請求項２記載のタービンダイアフラム。
【請求項４】
外側の中空のダイアフラムリング（２４）の前記箱形構造は、
（ａ）軸方向で向き合った一対の側壁（２４１，２４２）と、
（ｂ）半径方向外側の周方向に延びた壁部（２４３）と、
（ｃ）前記静止ブレードユニット（２６）の前記半径方向外側のプラットフォーム部分（２６２）によって形成された、半径方向内側の周方向に延びた壁部と、を有する、請求項２又は３記載のタービンダイアフラム。
【請求項５】
前記静止ブレードユニットの半径方向内側及び外側のプラットフォーム部分（２６１，２６２）のうちの一方又は両方は、前記翼部分（２６３）と一体に形成されている、請求項２から４までのいずれか１項記載のタービンダイアフラム。
【請求項６】
それぞれの中空のダイアフラムリング（２２，２４）の前記箱形構造は、該箱形構造に複数の補強リブ（２８，３０）を組み込むことによって強化されており、前記補強リブは、半径方向及び軸方向に整合させられておりかつ周方向で互いから間隔を置かれている、請求項２から５までのいずれか１項記載のタービンダイアフラム。
【請求項７】
外側のダイアフラムリング（２４）の半径方向外側の壁部（２４３）は、前記補強リブ（３０）のうちの少なくとも１つによって、周方向に延びた別個の構成部分に分割されている、請求項４を引用する請求項６記載のタービンダイアフラム。
【請求項８】
半径方向内側のダイアフラムリング（２２）の半径方向内側の壁部（２２３）の半径方向内側は、ダイアフラム（２０）の比較的高圧の側と低圧の側との間の漏れに対するシールを保持するように構成された、周方向に延びた凹所（２２８）を含む、請求項３記載のタービンダイアフラム。
【請求項９】
タービン内へのタービンダイアフラム（２０）の組付けを可能にするために、該タービンダイアフラムは、組付け時に直径に沿った接合線（Ｊ）において互いに接合される２つの半分として製造されている、請求項１から８までのいずれか１項記載のタービンダイアフラム。
【請求項１０】
外側のダイアフラムリングの前記直径に沿った接合線（Ｊ）の各端部にボルト継手が設けられている、請求項９記載のタービンダイアフラム。
【請求項１１】
前記タービンダイアフラム（２０）の上側及び下側の半分の、直径に沿って互いに反対側の端部は、包囲するタービンケーシング内に前記上側及び下側の半分を支持する位置決め手段によって、互いに位置合わせされながら保持される、請求項９記載のタービンダイアフラム。
【請求項１２】
内側及び外側のダイアフラムリングのうちの一方のみが中空構造であり、他方のダイアフラムリングは中実である、請求項１から１１までのいずれか１項記載のタービンダイアフラム。
【請求項１３】
請求項３を引用する請求項６記載のタービンダイアフラムを製造する方法であって、前記内側の中空のダイアフラムリング（２２）は、
（ａ）側壁（２２１，２２２）を補強リブ（２８）に取り付けるステップと、
（ｂ）ブレードユニット（２６）の内側プラットフォーム（２６１）を内側のダイアフラムリング（２２）の側壁（２２１，２２２）に取り付けるステップと、
（ｃ）内側の周方向に延びた壁部（２２３）を前記内側のダイアフラムリング（２２）の側壁に取り付けるステップと、によって製造されることを特徴とする、請求項３を引用する請求項６記載のタービンダイアフラムを製造する方法。
【請求項１４】
請求項４を引用する請求項６記載のタービンダイアフラムを製造する方法であって、前記外側の中空のダイアフラムリング（２４）は、
（ａ）側壁（２４１，２４２）を補強リブ（３０）に取り付けるステップと、
（ｂ）ブレードユニット（２６）の外側プラットフォーム（２６２）を外側のダイアフラムリング（２４）の側壁（２４１，２４２）に取り付けるステップと、
（ｃ）外側の周方向に延びた壁部（２４３）を前記外側のダイアフラムリング（２４）の側壁に取り付けるステップと、によって製造されることを特徴とする、請求項４を引用する請求項６記載のタービンダイアフラムを製造する方法。
【請求項１５】
請求項４を引用する請求項６記載のタービンダイアフラムを製造する方法であって、
（ａ）側壁（２２１，２２２）及び（２４１，２４２）を補強リブ（２８）及び（３０）に取り付けるステップと、
（ｂ）ブレードユニット（２６）の内側プラットフォーム（２６１）を内側のダイアフラムリング（２２）の側壁（２２１，２２２）に取り付けるステップと、
（ｃ）外側のダイアフラムリング（２４）の側壁（２４１，２４２）をブレードユニット（２６）の外側プラットフォーム（２６２）に取り付けるステップと、
（ｄ）内側の周方向に延びた壁部（２２３）を前記内側のダイアフラムリング（２２）の側壁に取り付けかつ外側の周方向に延びた壁部（２４３）を前記外側のダイアフラムリング（２４）の側壁に取り付けるステップと、を含むことを特徴とする、請求項３及び４を引用する請求項６記載のタービンダイアフラムを製造する方法。
【請求項１６】
前記ブレードユニット（２６）の前記内側プラットフォーム（２６１）が前記内側のダイアフラムリング（２４）に取り付けられる前に、半径方向内側の壁部（２２３）が前記内側のダイアフラムリング（２４）に取り付けられる、請求項１３又は１５記載の方法。
【請求項１７】
前記外側のダイアフラムリング（２４）の前記側壁（２４１，２４２）が前記ブレードユニット（２６）の前記外側プラットフォーム（２６２）に取り付けられる前に、半径方向外側の壁部（２４３）が前記外側のダイアフラムリング（２４）に取り付けられる、請求項１４又は１５記載の方法。
【外国語明細書】
2013194742.tif 000009
2013194742.tif 000010
2013194742.tif 000011
2013194742.tif 000012
2013194742.tif 000013
2013194742.tif 000014
2013194742.tif 000015
2013194742.tif 000016
2013194742.tif 000017
2013194742.tif 000018
2013194742.tif 000019
2013194742.tif 000020
2013194742.tif 000021
2013194742.tif 000022
2013194742.tif 000023
2013194742.tif 000024
2013194742.tif 000025
2013194742.tif 000026
2013194742.tif 000027
2013194742.tif 000028
2013194742.tif 000029